(57)【要約】【課題】配管収容架台の設置スペースを小さくでき、且つ部品点数を削減できる配管収容架台を提供する。【解決手段】配管収容架台（10）は、配管（6）を収容する収容空間（S）を内部に形成するとともに、収容空間（S）の側方に開放面（40）を形成する架台本体（20）と、架台本体（20）の開放面（40）を覆うように架台本体（20）に着脱自在に取り付けられる側板（50）とを備えている。【選択図】図３
2015094570.tif 000002
【特許請求の範囲】
【請求項１】
空気調和機の室外機（5）の下側に配置され、該空気調和機の配管（6）を収容する配管収容架台であって、
上記配管（6）を収容する収容空間（S）を内部に形成するとともに、該収容空間（S）の側方に開放面（40）を形成する架台本体（20）と、
上記架台本体（20）の開放面（40）を覆うように該架台本体（20）に着脱自在に取り付けられる側板（50）と
を備えている
ことを特徴とする配管収容架台。
【発明の詳細な説明】
【技術分野】
【０００１】
本発明は、空気調和機の室外機の下側に配置され、該空気調和機の配管を収容する配管収容架台に関する。
【背景技術】
【０００２】
従来より、空気調和機の室外機の下側に配置され、空気調和機の配管を収容する配管収容架台が知られている。特許文献１には、この種の配管収容架台が開示されている。
【０００３】
特許文献１の図１に示すように、配管収容架台は、配管が収容される収容空間を内部に形成する架台本体を有し、この架台本体の上側に室外機１が設置される。架台本体のうち配管に沿った一対の側面には、側板が一体的に固定されている。側板には、配管の一部を配管収容架台に外部へ引き出すための開口６１ｅが形成されている。外部へ引き出された配管は、更に配管カバー１０に覆われる。この配管収容架台の据え付け時には、配管収容架台の上側に室外機を設置した後、配管収容架台の外部に引き出された配管の一端部と、室外機側の配管と接続するようにしている。    
【先行技術文献】
【特許文献】
【０００４】
【特許文献１】特開２０００−１８６５０号公報
【発明の概要】
【発明が解決しようとする課題】
【０００５】
上述のように、配管収容架台の配管の一端部を外部へ引き出す構成では、外部へ引き出した配管のスペースが必要となり、配管収容架台を設置するスペースが制限されてしまう。また、外部へ引き出した配管（より厳密には、配管の周囲に巻き付けられる断熱材）の劣化を防止するための配管カバーが必要となるため、部品点数の増大を招いてしまう。
【０００６】
本発明は、かかる点に鑑みてなされたものであり、その目的は、配管収容架台の設置スペースを小さくでき、且つ部品点数を削減できる配管収容架台を提供することである。
【課題を解決するための手段】
【０００７】
第１の発明は、空気調和機の室外機（5）の下側に配置され、該空気調和機の配管（6）を収容する配管収容架台を対象とし、上記配管（6）を収容する収容空間（S）を内部に形成するとともに、該収容空間（S）の側方に開放面（40）を形成する架台本体（20）と、
上記架台本体（20）の開放面（40）を覆うように該架台本体（20）に着脱自在に取り付けられる側板（50）とを備えていることを特徴とする。
【０００８】
第１の発明では、架台本体の側面に開放面（40）が形成され、この開放面（40）を覆うように側板（50）が架台本体（20）に着脱自在に取り付けられる。架台本体（20）から側板（50）を取り外した状態では、配管（6）が収容される収容空間（S）が外部へ露出する状態となる。このため、収容空間（S）の内部に配設した配管と、室外機（5）側の配管とを収容空間（S）の内部で互いに連結することができる。つまり、本発明では、配管の一部を収容空間（S）の外部へ引き出すことなく、架台本体（20）に設置した配管と室外機側の配管とを接続することができる。
【０００９】
架台本体（20）に側板（50）を取り付けた状態では、収容空間（S）が側板（50）よって覆われる。これにより、収容空間（S）の内部の配管や断熱材が劣化してしまうことを回避できる。つまり、架台本体（20）の側板（50）は、配管（6）が外部へ露出されることを防止する配管カバーとして機能する。
【発明の効果】
【００１０】
本発明によれば、空気調和機の配管（6）の全部が収容空間（S）の内部に収まるため、配管（6）の一部が外部に位置することがない。このため、配管（6）を配置するスペースを小さくでき、ひいては配管収容架台の設置スペースを小さくできる。
【００１１】
また、本発明によれば、架台本体（20）の側板（50）が、配管のカバーとして機能するため、配管カバーを別途設ける必要がなく、部品点数を削減できる。また、配管カバーに要するスペースも削減できる。
【図面の簡単な説明】
【００１２】
【図１】図１は、実施形態に係る配管収容架台、及び室外機の設置状態を示す斜視図である。
【図２】図２は、実施形態に係る架台本体の分解した状態を示す斜視図であり、２つの支持部材と２つの中間部材を表したものである。
【図３】図３は、実施形態に係る配管収容架台の分解した状態を示す斜視図であり、架台本体と２つの側板を表したものである。
【図４】図４は、実施形態に係る配管収容架台の斜視図である。
【図５】図５は、実施形態に係る配管収容架台を、配管の延びる方向に組み合わせる状態を表した斜視図である。
【発明を実施するための形態】
【００１３】
以下、本発明の実施形態を図面に基づいて詳細に説明する。なお、以下の実施形態は、本質的に好ましい例示であって、本発明、その適用物、あるいはその用途の範囲を制限することを意図するものではない。
【００１４】
図１に示すように、本実施形態に係る配管収容架台（10）は、ビルの屋上に設置された空気調和機の室外ユニット（室外機（5））を支持するように構成される。空気調和機は、複数の室内ユニット（室内機）を有する、いわゆるビル用マルチ式に構成される。室外ユニット（5）の内部には、圧縮機、室外熱交換器、室外ファン等が収容されている。各室外ユニット（5）は、連絡配管（配管（6））を介して室内ユニットと接続される。ビルの屋上では、複数の配管収容架台（10）及び室外ユニット（5）が、連絡配管（6）の延びる方向に配列される。
【００１５】
〈配管収容架台〉
配管収容架台（10）の構成について図１〜図５を参照しながら詳細に説明する。配管収容架台（10）は、架台本体（20）と、架台本体（20）の開放面（40）に取り付けられる一対の側板（50,50）とを備えている。
【００１６】
《架台本体》
架台本体（20）は、互いに対向するように配置される一対の支持部材（21,21）と、該一対の支持部材（21,21）の間に配置される一対の中間部材（30,30）とを備えている。
【００１７】
図２や図３にも示すように、各支持部材（21,21）は、２本の縦フレーム部（22,22）と、２枚の支持板（23,23）と、１本の横フレーム部（24）と、１本の中間フレーム部（25）とを有している。
【００１８】
２本の縦フレーム部（22,22）は、互いに平行な姿勢で上下方向に延びている。縦フレーム部（22）は、水平断面がＬ字状に形成される。縦フレーム部（22）は、図１における前側又は後側に面する第１側面部（22a）と、図１における右側又は左側に面する第２側面部（22b）とを有している。第１側面部（22a）の上部及び下部には、第１締結穴（61）が１つずつ形成されている。第２側面部（22b）の上部には、上下に並ぶ２つの第２締結穴（62）が形成されている。第２側面部（22b）における２つの第２締結穴（62）の間には、１つの第３締結穴（63）が形成されている。第２側面部（22b）の下部には、１つの第４締結穴（64）が形成されている。
【００１９】
各支持板（23）は、縦フレーム部（22）の下端に固定される。各支持板（23）は、左右側方に延びる横長の板状に形成される。各支持板（23）は、屋上の床面に設置される。なお、各支持板（23）の下側にＨ鋼などのベース部材を配置し、このベース部材によって架台本体（20）を支持するようにしてもよい。
【００２０】
横フレーム部（24）は、一対の縦フレーム部（22）の各上端部に亘るように水平方向（左右方向）に延びている。横フレーム部（24）は、鉛直断面が逆Ｌ字状に形成される。中間フレーム部（25）は、一対の縦フレーム部（22）の下部に亘るように水平方向（左右方向）に延びている。中間フレーム部（25）は、鉛直断面が逆Ｌ状に形成される。中間フレーム部（25）の両端は、縦フレーム部（22）の第１側面部（22a）に固定される。
【００２１】
図２や図３にも示すように、一対の中間部材（30）は、架台本体（20）の左右側方に配置される。一対の中間部材（30）は、一対の支持部材（21）の各上部に亘るように水平方向（前後方向）に延びている。中間部材（30）は、水平断面が逆Ｌ字状に形成される。中間部材（30）は、鉛直な鉛直板部（31）と、水平な水平板部（32）とで構成される。
【００２２】
鉛直板部（31）の前後方向の各側端部には、上下に並ぶ２つの第５締結穴（65,65）がそれぞれ形成される。鉛直板部（31）における２つの第５締結穴（65,65）の間には、１つの第６締結穴（66）が形成される。中間部材（30）の第５締結穴（65）は、支持部材（21）の第２締結穴（62）に対応する位置にある。中間部材（30）の第６締結穴（66）は、支持部材（21）の第３締結穴（63）に対応する位置にある。
【００２３】
鉛直板部（31）の下部における前後方向の中間部には、凹部（31a）が形成される。凹部（31a）は、下側に向かって開口幅を拡大するような台形状に形成される。水平板部（32）は、矩形板状に形成されている。水平板部（32）の上側には、室外ユニット（5）が支持される（図１を参照）。なお、水平板部（32）の上面に弾性を有する防振部材を設置し、防振部材の上側に室外ユニット（5）を支持する構成としてもよい。つまり、配管収容架台（10）は、室外ユニット（5）の防振機能が付与された構成であってもよい。
【００２４】
図２に示すように、一対の中間部材（30）は、一対の支持部材（21）に着脱可能に連結される。具体的には、図示しないボルト等の締結部材を第２締結穴（62）及び第５締結穴（65）に締結する。この結果、中間部材（30）及び支持部材（21）が組み付けられ、架台本体（20）が構成される。
【００２５】
架台本体（20）では、支持部材（21）及び中間部材（30）の間に直方体形状の収容空間（S）が形成される。収容空間（S）には、空気調和機の連絡配管（6）が前後に延びる状態で収容される。なお、収容空間（S）に空気調和機の電気配線やドレン用の配管を収容するようにしてもよい。
【００２６】
架台本体（20）では、前後に対向する２本の縦フレーム部（22）と１本の中間部材（30）との間に開放面（40）が形成される。開放面（40）は、架台本体（20）における配管（6）に沿った側面に形成される。開放面（40）は、収容空間（S）に臨むメンテナンス用の開放部を構成している。つまり、室外ユニット（5）の据え付け時において、作業者は、開放面（40）を通じて収容空間（S）の内部の連絡配管（6）の接続作業を行うことができる（詳細は後述する）。
【００２７】
《側板》
一対の側板（50）は、架台本体（20）の左右の側部に着脱自在に取り付けられる。側板（50）は、開放面（40）を覆う矩形板状に形成される。側板（50）には、水平方向（前後方向）に延びる３本のリブ（51,51,51）が形成される。各リブ（51）の鉛直断面は、側板（50）の左右外側に向かって突出する突起状に形成される。各リブ（51）は、側板（50）の剛性を高めるための補強部を構成している。
【００２８】
側板（50）には、上側の各角部の近傍に第７締結穴（67）が形成され、下側の各角部の近傍に第８締結穴（68）が形成される。第７締結穴（67）は、第３締結穴（63）及び第６締結穴（66）に対応する位置にある。第８締結穴（68）は、第４締結穴（64）に対応する位置にある。
【００２９】
〈配管の接続作業〉
本実施形態では、収容空間（S）の内部で連絡配管（6）の接続作業が行われる。配管収容架台（10）を用いた空気調和機の室外ユニット（5）の連絡配管（6）の接続方法について説明する。
【００３０】
まず、配管収容架台（10）を屋上の床面（設置面）に設置するとともに、配管収容架台の上側に室外ユニットを設置する工程（設置工程）を行う。この設置工程では、室外ユニット（5）を配管収容架台（10）に載せた状態であるユニットを、クレーン等で床面に設置してもよいし、配管収容架台（10）を屋上の床面に設置した後に、この上に室外ユニット（5）を載せるようにしてもよい。
【００３１】
次いで、図３に示すように、側板（50）が取り外された状態の配管収容架台（10）において、開放面（40）を通じて収容空間（S）の内部の連絡配管（6）を接続する工程（配管接続工程）を行う。つまり、収容空間（S）の内部に挿通された連絡配管（6）を、室外ユニット（5）の室外熱交換器に繋がる配管と連結する。なお、室外ユニット（5）側の配管の端部は、室外ユニット（5）のケーシングの底部を貫通して、収容空間（S）に引き出されている。このようにすると、室外ユニット（5）側の配管を収容空間（S）の外部へ引き出すことなく、配管の接続作業を行うことができる。
【００３２】
次いで、図３に示すように、架台本体（20）に側板（50）を取り付ける工程（側板取付工程）を行う。具体的に、図示しないボルト等の締結部材を第３締結穴（63）、第６締結穴（66）、及び第７締結穴（77）に締結するとともに、他の締結部材を第４締結穴（64）及び第８締結穴（48）に締結する。この結果、図４に示すように、側板（50）が架台本体（20）に固定され、架台本体（20）の開放面（40）が側板（50）によって閉塞される。架台本体（20）に側板（50）を取り付けることで、収容空間（S）が遮蔽される状態となる。これにより、収容空間（S）の内部に紫外光が差し込むことを防止でき、この紫外光の影響により連絡配管（6）の周囲の断熱部材が劣化してしまうことを未然に回避できる。
【００３３】
なお、連絡配管（60）と干渉しないのであれば、架台本体（20）の前側や後側の側部に側板（50）を取り付けるようにしてもよい。これにより、収容空間（S）の内部を確実に遮蔽できる。
【００３４】
〈複数の配管収容架台の接続作業〉
本実施形態に係る配管収容架台（10）は、隣接する前後の配管収容架台（例えば図５に示す配管収容架台（10a）、及び配管収容架台（10b））を互いに連結することができる。即ち、配管収容架台（10）を前後に隣接して配置した後、隣接する１組の第１締結穴（61）にボルト等の締結部材をそれぞれ締結する。これにより、隣接する配管収容架台（10a,10b）を互いに連結することができる。なお、このような締結部材の締結は、配管収容架台（10）から側板（50）を取り外した状態で行った方が簡単である。このように、前後に隣接する配管収容架台（10）を一体化することで、これらの配管収容架台（10）をクレーン等によりまとめて搬送でき、室外ユニット（5）の据え付け作業が容易となる。以上の例では、隣接する２つの配管収容架台（10）を組み付ける作業を説明したが、隣接して配置された３つ以上の配管収容架台（10）を互いに連結する構成としてもよい。
【００３５】
〈配管収容架台の搬送作業〉
本実施形態に係る配管収容架台（10）は、図２及び図３に示すように、６つのパーツに分解できる。具体的に、配管収容架台（10）は、２つの支持部材（21）と、２つの中間部材（30）と、２つの側板（50）とに分解可能に構成され、これらを組み合わせて構成される。このため、例えば分解した各パーツをエレベータ等で屋上まで容易に搬送してから、配管収容架台（10）を組み立てることができる。
【００３６】
−実施形態の効果−
上記実施形態によれば、室外ユニット（5）に連結する連絡配管（6）の全部が収容空間（S）の内部に収まるため、連絡配管（6）の一部が外部に位置することがない。このため、連絡配管（6）を配置するスペースを小さくでき、ひいては配管収容架台（10）の設置スペースを小さくできる。
【００３７】
上記実施形態によれば、架台本体（20）の側板（50）が、連絡配管（6）のカバーとして機能するため、配管カバーを別途設ける必要がなく、部品点数を削減できる。また、配管カバーに要するスペースも削減できる。
【００３８】
上記実施形態によれば、架台本体（20）が４つの部材（21,21,30,30）に分割可能となる。このため、分割した状態の各部材（21,21,30,30）を分解した状態で現地へ搬送してから架台本体（20）を組み立てることができ、各部材（21,21,30,30）の搬送作業の簡便化を図ることができる。
【産業上の利用可能性】
【００３９】
以上説明したように、本発明は、空気調和機の室外機の下側に配置され、空気調和機の配管を収容する配管収容架台について有用である。
【符号の説明】
【００４０】
６      連絡配管（配管）
１０    配管収容架台
２０    架台本体
４０    開放面
５０    側板
Ｓ      収容空間
【図１】
2015094570.tif 000003
【図２】
2015094570.tif 000004
【図３】
2015094570.tif 000005
【図４】
2015094570.tif 000006
【図５】
2015094570.tif 000007